(57)【要約】【課題】内部に空気を密封して水中に設置されているゴム袋体の水中の破損部を外部から補修材料で強固に塞ぐことを可能とするゴム袋体の補修方法を提供する。【解決手段】ケーシング３を水中に入れて内部に水Ｗを入れた状態として、ケーシング３の前面の密着体４をゴム堰１に押付けて密着させ、前面開口部Ｐ１でゴム堰１の水中の破損部Ｒを囲むとともに、上面開口部Ｐ２を水上に位置させ、この上面開口部Ｐ２からケーシング３の内部に配置した排水管９を通じて排水ポンプ８によってケーシング３の内部の水Ｗを外部に排出し、破損部Ｒを乾燥状態にして補修材料で塞ぐ。【選択図】    図３
2006328836.tif 000002
【特許請求の範囲】
【請求項１】
内部に空気を密封して水中に設置されているゴム袋体の補修方法であって、前面および上面に開口部を有するケーシングを水中に入れてケーシングの内部に水を入れた状態で、前記ケーシングの前面を前記ゴム袋体に押付けて密着させ、前面開口部で前記ゴム袋体の水中の破損部を囲むとともに、上面開口部を水上に位置させ、この上面開口部から前記ケーシングの内部の水を外部に排出し、前記破損部を乾燥状態にして補修材料で塞ぐゴム袋体の補修方法。
【請求項２】
前記ケーシングに吸着手段を設け、該吸着手段で前記ケーシングの前面を前記ゴム袋体に押付けて密着させる請求項１に記載のゴム袋体の補修方法。
【請求項３】
前記ケーシングが、ケーシングの内部の水を外部に排出した際に作用する浮力と釣り合う質量に設定されている請求項１または２に記載のゴム袋体の補修方法。
【発明の詳細な説明】
【技術分野】
【０００１】
本発明は、ゴム袋体の補修方法に関し、さらに詳しくは、内部に空気を密封して水中に設置されているゴム袋体の水中の破損部を外部から補修材料で強固に塞ぐことを可能とするゴム袋体の補修方法に関するものである。
【背景技術】
【０００２】
水量調節等のために河川等を横断して敷設されるゴム堰が知られているが、このゴム堰は河川の浮遊物や落石等によって表面が破損することがある。ゴム堰は内部に空気を密封して膨張起立しているので、表面の破損が内部まで貫通すると、空気漏れが生じて機能しなくなるため補修が必要となり、また、内部まで貫通しない破損であっても事前に補修しておくことが望ましい。
【０００３】
従来、ゴム堰は自然加硫材料を用いたパッチ等の補修材料を破損部に貼付けて補修されているが、破損部が水中であると補修材料が強く貼り付かず、破損部を強固に塞ぐことができないという問題があった。
【０００４】
ゴム堰の補修方法は種々提案されている（例えば、特許文献１〜３参照）が、特許文献１での提案は、専ら水上の破損部を補修する方法であり、水中の破損部の補修には適していないものであった。
【０００５】
また、特許文献２および３の提案は、ゴム堰の内部から補修することによって水中の破損部の補修を可能としているが、ゴム堰の内部での作業が必要となる等の面倒な点があり、また、内部空間が小さなゴム堰には適用できないという問題があった。
【特許文献１】特開平５−３３１８２３号公報
【特許文献２】特開昭５８−１８１９１１号公報
【特許文献３】特開昭６２−６０１３号公報
【発明の開示】
【発明が解決しようとする課題】
【０００６】
本発明の目的は、内部に空気を密封して水中に設置されているゴム袋体の水中の破損部を外部から補修材料で強固に塞ぐことを可能とするゴム袋体の補修方法を提供することにある。
【課題を解決するための手段】
【０００７】
上記目的を達成するため本発明のゴム袋体の補修方法は、内部に空気を密封して水中に設置されているゴム袋体の補修方法であって、前面および上面に開口部を有するケーシングを水中に入れてケーシングの内部に水を入れた状態で、前記ケーシングの前面を前記ゴム袋体に押付けて密着させ、前面開口部で前記ゴム袋体の水中の破損部を囲むとともに、上面開口部を水上に位置させ、この上面開口部から前記ケーシングの内部の水を外部に排出し、前記破損部を乾燥状態にして補修材料で塞ぐことを特徴とするものである。
【発明の効果】
【０００８】
本発明のゴム袋体の補修方法によれば、内部に空気を密封して水中に設置されているゴム袋体の補修方法であって、前面および上面に開口部を有するケーシングを水中に入れてケーシングの内部に水を入れた状態で、ケーシングの前面をゴム袋体に押付けて密着させ、前面開口部でゴム袋体の水中の破損部を囲むので、ケーシングに大きな浮力が作用せず、容易にこの作業を行なうことができる。
【０００９】
これとともに、ケーシングの上面開口部を水上に位置させるので、この上面開口部からケーシングの内部の水を外部に排出することができ、ケーシングの前面をゴム袋体に密着させた状態での排水によって、ケーシングの内部に位置する破損部を水から隔離し乾燥状態にして、補修材料を破損部に強く固着させて塞ぐことが可能となる。
【発明を実施するための最良の形態】
【００１０】
以下、本発明のゴム袋体の補修方法を図に示した実施形態に基づいて説明する。図５に表面に補修が必要な破損部Ｒを有するゴム堰１を正面図で示し、図６は図５のＡ−Ａ断面図を示している。
【００１１】
このゴム堰１は貯水池を横断して設置地盤１０にボルト等の固定具２で固定されて水中に敷設されている。ゴム堰１は、例えば、クロロプレンゴム層に補強層を介層した可撓性材料からなり、内部には空気が密封されて膨張起立することで貯水池が仕切られ、仕切られたそれぞれの水面の水位が異なるように調整されている。そして、高水位側のゴム堰１の表面に破損部Ｒがあり、その破損部Ｒは水中に位置している。
【００１２】
図１に補修に用いるケーシング３の一例を斜視図で示す。ケーシング３は、前面および上面に開口部Ｐ１、Ｐ２を有した箱状体であり、前面には柔軟性を有し、圧縮時に水密性を発揮する密着体４が備わるとともに、吸気孔５が設けられている。密着体４としては、例えば、独立気泡の発泡樹脂等が用いられる。
【００１３】
ケーシング３の後面には真空ポンプ６がつながれ、真空ポンプ６が稼動すると吸気孔５からケーシング３の壁面内部を通じて空気ａが吸入される構造となっている。
【００１４】
図３に補修方法の第１工程を例示する説明図を示す。まず、このケーシング３を水中に入れてケーシング３の内部に水Ｗを入れた状態とし、前面開口部Ｐ１でゴム堰１の破損部Ｒを囲むように、ケーシング３の前面の密着体４をゴム堰１の表面に押付けて密着させる。ケーシング３の上面開口部Ｐ２は水上に位置させる。この際に、ケーシング３の内部には水Ｗが入っているのでケーシング３に作用する浮力Ｆ２が小さく、容易に作業ができる。
【００１５】
密着体４をゴム堰１に押付ける押付け力Ｆ１は、図示しない真空ポンプ６を稼動させて得ることができる吸着力ｆを利用する。この押付け力Ｆ１によって、密着体４が圧縮されて水密性が確保される。吸着力ｆによる押付け力Ｆ１だけでは不十分な場合には、外部から押付けるようにする。
【００１６】
この状態で、排水ポンプ８に接続した排水管９をケーシング３の内部に配置して、排水ポンプ８を稼動させて、ケーシング３の内部の水Ｗを外部に排出する。この排水によってケーシング３に作用する浮力Ｆ２が大きくなるので、内部の水Ｗを排出した際にケーシング３に作用する浮力Ｆ２と釣り合うように、ケーシング３の質量を設定しておくと外部から新たに加える力を不要とし、もしくは小さくすることができ、作業が容易になる。この補修方法では、ケーシング３の内部に作業者が入って補修作業をすることがあるので、その場合は作業者等のケーシング３の内部質量を考慮してケーシング３の質量を設定する。
【００１７】
密着体４によって水密性が保たれた状態で、ケーシング３の内部の水Ｗを排出するので、補修方法の第２工程を例示する図４のようにケーシング３の内部に位置する破損部Ｒを水Ｗから隔離して、乾燥状態にすることが可能となる。
【００１８】
そして、図４に示す排水後のケーシング３の内部に入った作業者が、乾燥した破損部Ｒに補修材料７を貼付け、十分養生して固着させる。破損部Ｒの位置が水面に近い場合等はケーシング３の内部に作業者が入ることなく、ケーシング３の外部から補修作業をすることもできる。
【００１９】
補修材料７としては、自然加硫材料を用いた補修パッチ、ゴム系の充填剤、接着剤等を用いることができ、これらの補修材料７は乾燥状態で貼付けて養生させることによって、強固に固着する。このように、本発明によれば、容易にゴム堰１の外部から破損部Ｒを補修材料７で強固に塞ぐ補修が可能となる。
【００２０】
ケーシング３の形状は、図１に示した前面開口部Ｐ１および上面開口部Ｐ２が互いにつながった形状に限定されず、前面および上面に開口部Ｐ１、Ｐ２を有する形状を用いることができ、図２に例示するように両開口部Ｐ１、Ｐ２が独立しているものでもよい。
また、ケーシング３に真空ポンプ６およびケーシング３の壁面内部を連通する吸気孔５からなる吸着手段を設けているが、吸着手段を省略して外部からの押付け力Ｆ１のみでケーシング３の前面をゴム堰１の表面に押付けるようにしてもよい。
【００２１】
実施形態では、ゴム袋体としてゴム堰１を例示しているが、ゴム堰１に相当するものやその他の内部に空気を密封して水中に設置されているゴム袋体にも本発明を適用することができる。
【図面の簡単な説明】
【００２２】
【図１】本発明の補修方法に用いるケーシングの構造を例示する斜視図である。
【図２】本発明の補修方法に用いるケーシングの別の構造を例示する斜視図である。
【図３】本発明の補修方法の第１工程を例示する説明図である。
【図４】本発明の補修方法の第２工程を例示する説明図である。
【図５】補修対象となる破損部を有するゴム堰の正面図である。
【図６】図５のＡ−Ａ断面図である。
【符号の説明】
【００２３】
１  ゴム堰（ゴム袋体）
２  固定具
３  ケーシング
４  密着体
５  吸気孔
６  真空ポンプ
７  補修材料
８  排水ポンプ
９  排水管
１０  設置地盤
Ｐ１  （ケーシングの）前面開口部    Ｐ２  （ケーシングの）上面開口部
【図１】
2006328836.tif 000003
【図２】
2006328836.tif 000004
【図３】
2006328836.tif 000005
【図４】
2006328836.tif 000006
【図５】
2006328836.tif 000007
【図６】
2006328836.tif 000008